【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取ユニットと、
前記画像読取ユニットを制御する画像読取制御部と、
前記画像読取ユニットと前記画像読取制御部とを接続する信号伝送ケーブルと、
前記画像読取ユニットを移動させる駆動部と、
前記画像読取ユニットに設けられ、所定パターンに従ってテスト信号を生成するテスト信号生成部と、
を有し、
前記画像読取制御部は、前記駆動部により前記画像読取ユニットを移動させて前記信号伝送ケーブルの屈曲状態を変化させながら前記テスト信号生成部から出力される前記テスト信号を、前記信号伝送ケーブルを通して取得し、前記画像読取制御部により取得された前記テスト信号の取得パターンに基づいて前記信号伝送ケーブルに異常があるか否かを検出することを特徴とする画像読取装置。
【請求項２】
前記画像読取制御部は、前記取得パターンと前記所定パターンを比較し、前記取得パターンが前記所定パターンに含まれない場合に前記信号伝送ケーブルに異常があることを検出することを特徴とする請求項１に記載の画像読取装置。
【請求項３】
前記画像読取制御部は、前記取得パターンと前記所定パターンを比較し、前記取得パターンが前記所定パターンと一致しない場合に前記信号伝送ケーブルに異常があることを検出することを特徴とする請求項１に記載の画像読取装置。
【請求項４】
前記テスト信号生成部は、水平同期信号を生成し、
前記画像読取制御部は、前記テスト信号生成部からの前記所定パターンに従う前記テスト信号の出力開始から所定時間以内に前記水平同期信号を受信しない場合に前記信号伝送ケーブルに異常があることを検出することを特徴とする請求項１乃至３のいずれか一項に記載の画像読取装置。
【請求項５】
前記画像読取装置の異常のある交換部品を特定するための異常診断において、前記画像読取制御部は、前記信号伝送ケーブルに異常があるか否かを検出することを特徴とする請求項１乃至４のいずれか一項に記載の画像読取装置。
【請求項６】
ユーザが前記画像読取装置を操作する操作部を更に有し、
前記画像読取装置の前記交換部品を交換した後に前記操作部からの指示に従って、前記画像読取制御部は、前記信号伝送ケーブルに異常があるか否かを検出することを特徴とする請求項５に記載の画像読取装置。
【請求項７】
前記画像読取装置の工場での組立チェックにおいて、前記画像読取制御部は、前記信号伝送ケーブルに異常があるか否かを検出することを特徴とする請求項１乃至６のいずれか一項に記載の画像読取装置。
【請求項８】
遠隔地からの前記画像読取装置の異常診断において、前記画像読取制御部は、前記信号伝送ケーブルに異常があるか否かを検出することを特徴とする請求項１乃至７のいずれか一項に記載の画像読取装置。
【請求項９】
前記テスト信号生成部により生成される前記テスト信号は、デジタル画像信号であることを特徴とする請求項１乃至８のいずれか一項に記載の画像読取装置。
【請求項１０】
前記画像読取ユニットは、
前記原稿へ光を照射し前記原稿からの反射光を受光してアナログ画像信号を生成する画像読取センサと、
前記アナログ画像信号をデジタル画像信号へ変換するアナログ・デジタル変換器と、
を有し、
前記テスト信号生成部は、前記アナログ・デジタル変換器に設けられていることを特徴とする請求項９に記載の画像読取装置。
【請求項１１】
前記テスト信号生成部により生成される前記テスト信号は、アナログ画像信号であることを特徴とする請求項１乃至８のいずれか一項に記載の画像読取装置。
【請求項１２】
前記画像読取制御部は、前記取得パターンの前記アナログ画像信号が前記所定パターンの所定の範囲内にない場合に前記信号伝送ケーブルに異常があることを検出することを特徴とする請求項１１に記載の画像読取装置。
【請求項１３】
前記画像読取ユニットは、前記原稿へ光を照射し前記原稿からの反射光を受光してアナログ画像信号を生成する画像読取センサを有し、
前記テスト信号生成部は、前記画像読取センサに設けられていることを特徴とする請求項１１又は１２に記載の画像読取装置。
【請求項１４】
前記所定パターンは、複数のテスト画像パターンを含むことを特徴とする請求項１乃至１３のいずれか一項に記載の画像読取装置。
【請求項１５】
前記信号伝送ケーブルは、フレキシブルフラットケーブルであることを特徴とする請求項１乃至１４のいずれか一項に記載の画像読取装置。
【手続補正２】
【補正対象書類名】明細書
【補正対象項目名】０００８
【補正方法】変更
【補正の内容】
【０００８】
上記課題を解決するために、本発明の一実施例による画像読取装置は、
原稿の画像を読み取る画像読取ユニットと、
前記画像読取ユニットを制御する画像読取制御部と、
前記画像読取ユニットと前記画像読取制御部とを接続する信号伝送ケーブルと、
前記画像読取ユニットを移動させる駆動部と、
前記画像読取ユニットに設けられ、所定パターンに従ってテスト信号を生成するテスト信号生成部と、
を有し、
前記画像読取制御部は、前記駆動部により前記画像読取ユニットを移動させて前記信号伝送ケーブルの屈曲状態を変化させながら前記テスト信号生成部から出力される前記テスト信号を、前記信号伝送ケーブルを通して取得し、前記画像読取制御部により取得された前記テスト信号の取得パターンに基づいて前記信号伝送ケーブルに異常があるか否かを検出することを特徴とする。
【手続補正３】
【補正対象書類名】明細書
【補正対象項目名】００１８
【補正方法】変更
【補正の内容】
【００１８】
ＡＦＥ２０７は、第一画像通信部３０６を介して画像読取センサ２０８に電気的に接続されている。ＡＦＥ２０７は、原稿の画像を読み取る時に、第一画像通信部３０６を介して画像読取センサ２０８へ水平同期信号Ｈｓｙｎｃを送信し、第一画像通信部３０６を介して画像読取センサ２０８からアナログ画像信号を受信する。ＡＦＥ２０７は、アナログ画像信号をデジタル画像信号へ変換するアナログ・デジタル変換器（Ａ／Ｄ変換器）である。ＡＦＥ２０７は、第二画像通信部３０７を介して画像読取制御部３１０部の第一画像処理部８０６に電気的に接続されている。ＡＦＥ２０７は、画像読取センサ２０８から受信したアナログ画像信号をデジタル画像信号へ変換し、第二画像通信部３０７を介して画像読取制御部３１０部の第一画像処理部８０６へデジタル画像信号を送信する。ＡＦＥ２０７は、テスト画像パターン（所定パターン）に従って画像信号（テスト信号）を生成するテスト画像パターン生成部（テスト信号生成部）２１７を有する。テストモードにおいて、ＡＦＥ２０７は、画像読取センサ２０８へ水平同期信号Ｈｓｙｎｃを送信することなく、テスト画像パターン生成部２１７が生成したテスト画像パターンを、第二画像通信部３０７を介して第一画像処理部８０６へ送信する。テスト画像パターン生成部２１７は、複数のタイプのテスト画像パターンを生成することができる。
【手続補正４】
【補正対象書類名】明細書
【補正対象項目名】００５８
【補正方法】変更
【補正の内容】
【００５８】
図１４は、実施例２の画像読取装置２００の制御システム４５０のブロック図である。画像読取ユニット２０２は、画像読取センサ２０８が設けられている。実施例２の画像読取センサ２０８は、テスト画像パターン（所定パターン）に従って画像信号（テスト信号）を生成するテスト画像パターン生成部（テスト信号生成部）４１７を有する。ＡＦＥ４０２は、画像読取制御部３１０に設けられている。第一画像通信部４０１は、画像読取センサ２０８から出力されるアナログ画像信号を画像読取制御部３１０のＡＦＥ４０２へ伝送する通信線である。第一画像通信部４０１は、画像読取ユニット２０２と画像読取制御部３１０とを接続する信号伝送ケーブル３０９に含まれる。ＡＦＥ４０２は、画像読取センサ２０８から受信したアナログ画像信号をデジタル画像信号へ変換するＡ／Ｄ変換器である。ＡＦＥ４０２は、第二画像通信部４０３を経由して第一画像処理部８０６へデジタル画像信号を送信する。制御システム４５０のその他の構造は、図２に示す実施例１の制御システム２５０と同様であるので説明を省略する。